(57)【要約】      （修正有）【課題】水溶性の織物又は編み物が水に溶けるまでの時間を長くできるようにした水溶性の織物又は編み物、その製造方法および水溶性の糸を提供する。【解決手段】細長い水溶性紙片を縒り上げてコヨリ状の細糸３０を形成する第１工程と、前記細糸を複数本合わせて縒り上げて１本の堅牢なコヨリ状の太糸４０が形成する第２工程と、次いで前記太糸を用いて織物または編み物を形成する第３工程とを備えている水溶性の織物又は編み物の製造方法。【選択図】図４
2010111987.tif 000002
【特許請求の範囲】
【請求項１】
細長い水溶性紙片を縒り上げてコヨリ状の細糸を形成する第１工程と、
前記細糸を複数本合わせて縒り上げて１本の堅牢なコヨリ状の太糸を形成する第２工程と、
前記太糸を用いて織物または編み物を形成する第３工程と、
を備えていることを特徴とする水溶性の織物又は編み物の製造方法。
【請求項２】
請求項１において、
前記第１工程または第２工程の少なくとも一方の工程における前記縒り上げを、水蒸気を吹き掛けつつ行なう、ことを特徴とする水溶性の織物又は編み物の製造方法。
【請求項３】
請求項１または請求項２において、
前記水溶性紙片として、石けん、香料、殺菌・抗菌剤、天然染料の少なくとも１種類があらかじめ含浸されているものが用いられる、ことを特徴とする水溶性の織物又は編み物の製造方法。
【請求項４】
請求項１ないし請求項３のいずれか１項において、
前記第３工程の後に、前記織物または編み物の外周縁部を折り返して、該折り返した部分を水溶性の糸で縫着する第４工程をさらに備えている、
ことを特徴とする織物又は編み物の製造方法。
【請求項５】
請求項１ないし請求項３のいずれか１項において、
前記３工程の後に、前記織物または編み物の外周縁部をプレス機によって圧着する第４工程をさらに備えている、ことを特徴とする織物又は編み物の製造方法。
【請求項６】
織物又は編み物を形成している糸が、複数本の細糸を合わせて縒り上げたコヨリ状の太糸とされ、
前記細糸が、細長い水溶性紙片を縒り上げたコヨリ状とされている、
ことを特徴とする水溶性の織物又は編み物。
【請求項７】
請求項６において、
前記水溶性の織物又は編み物が、織物からなる水溶性のタオルとされ、
前記タオルの外周縁部が折り返されて、該折り返しされた部分が水溶性の糸で縫着されている、
ことを特徴とする水溶性の織物又は編み物。
【請求項８】
請求項６において、
前記水溶性の織物又は編み物が、織物からなる水溶性のタオルとされ、
前記タオルの外周縁部が圧着されている、
ことを特徴とする水溶性の織物又は編み物。
【請求項９】
細糸を複数本合わせて縒り上げたコヨリ状の太糸とされており、
前記細糸が、細長い水溶性紙片を縒り上げたコヨリ状とされている、
ことを特徴とする水溶性の糸。
【発明の詳細な説明】
【技術分野】
【０００１】
本発明は、水溶性の織物又は編み物、その製造方法および水溶性の糸に関するものであり、より具体的には、水溶性を確保しつつも糸や織物、編み物が水に溶けるまでの時間を極めて長くできるようにしたものに関する。
【背景技術】
【０００２】
織物や編み物を構成する糸は、天然繊維や合成繊維によって形成されているが、通常は水に溶けない非水溶性とされるのが一般的であり、したがって織物又は編み物そのものも非水溶性とされるのが一般的である。
【０００３】
特許文献１には、線状の和紙を撚糸すると共に溶融ワックスが付着された糸を用いて衣服を形成することにより、耐洗濯性等を高めたものが開示されている。この特許文献１に記載の糸や衣服は水溶性が全く無いものである。
【０００４】
特許文献２には、細幅状に裁断された和紙を縒り上げて撚糸を形成し、この撚糸を用いて織物又は編み物を形成することが開示されている。この特許文献２に記載のものでは、和紙を利用して形成された織物又は編み物の強度向上を図ると共に柔軟性や弾力性を確保しようとするもので、糸や衣服そのものを積極的に水に溶けさせるという考えは全く認識されていない。
【０００５】
特許文献３には、製紙用繊維によって形成された使い捨てのタオルやナプキン等に使われる吸水性の繊維質シート材料の製造方法が開示されている。この特許文献３に記載の繊維質シート材料は、柔軟性、強度、伸張性、吸収性、吸収容量、吸湿性、摩擦に対する抗力を高めたものであって、繊維質シート材料そのものは水に溶けないものである。
【０００６】
特許文献４には、扁平な紙テープの巻き形状を工夫することにより、巻かれた紙テープを、各種紡績糸やフィラメント糸と同様の手段で容易に上方に引き出すことのできるようにしたものが開示されている。しかしながら、この特許文献４では、糸や織物、編み物を積極的に水に溶けさせるということは何等認識されていない。
【０００７】
特許文献５には、紙紐を用いて植物栽培用支持具を形成する場合に、紙紐および支持具そのものの耐水性を高める技術が開示されている。この特許文献５に記載のものは、水に溶けさせるという観点とは全く逆の観点の発明となっている。
【０００８】
特許文献６，特許文献７には、繊維に石けん液等を含浸させたものが開示されている。
【０００９】
特許文献８には、スリット加工時の断紙トラブルの発生を防止でき、地合の良好な天然繊維を主とする紙糸用原紙が開示されている。
【先行技術文献】
【特許文献】
【００１０】
【特許文献１】特開平１１−１７２５４１号公報
【特許文献２】特開平７−１１８９７５号公報
【特許文献３】特開昭５０−１３６１３号公報
【特許文献４】特開２００５−３０６６００号公報
【特許文献５】特開２０００−３２８５２号公報
【特許文献６】実開平２−１１４８６号公報
【特許文献７】実開平６−７５９４号公報
【特許文献８】特開２００６−２６５７４２号公報
【発明の概要】
【発明が解決しようとする課題】
【００１１】
織物又は編み物を適宜期間使用した後、水に溶けさせることができれば、焼却等の廃棄処分が不必要になり、二酸化炭素の削減等の上で好ましいものとなる。特に、天然成分からなる紙で形成された糸を用いて織物又は編み物を形成することは、天然資源の有効活用の点で好ましく、この上さらに織物又は編み物を使用後に水に溶かして処分することができれば、極めて好ましいものとなる。
【００１２】
本発明は以上のような事情を勘案してなされたもので、その目的は、水溶性を確保しつつも、水に溶けるまでの時間を極めて長くできるようにした水溶性の織物又は編み物、その製造方法および水溶性の糸を提供することにある。
【課題を解決するための手段】
【００１３】
前記目的を達成するため、本発明における水溶性の織物又は編み物の製造方法にあっては次のような解決手法を採択してある。すなわち、特許請求の範囲における請求項１に記載のように、
細長い水溶性紙片を縒り上げてコヨリ状の細糸を形成する第１工程と、
前記細糸を複数本合わせて縒り上げて１本の堅牢なコヨリ状の太糸を形成する第２工程と、
前記太糸を用いて織物または編み物を形成する第３工程と、
を備えているようにしてある。
【００１４】
上記解決手法によれば、織物又は編み物は、使用後水中に浸けることにより、水に溶け込むことになる。このため、使用後の織物又は編み物を廃棄する際に、焼却する必要がなくなる。また、水溶性紙を使用しているものの、水溶性紙をこより状の細糸にし、この細糸を複数本合わせたこより状の太糸とし、この太糸を用いて織物又は編み物を形成するので、織物又は編み物が水に溶けるまでに要する時間が極めて長くなって、タオル等水分に多量に触れるような使用にも耐えることができる。また、得られた織物又は編み物は強度や柔軟性、弾力性も確保されて、織物又は編み物として広い用途に使用できる。
【００１５】
上記解決手法を前提とした好ましい態様は、特許請求の範囲における請求項２〜請求項４に記載のとおりである。すなわち、
前記第１工程または第２工程の少なくとも一方の工程における前記縒り上げを、水蒸気を吹き掛けつつ行なう、ようにしてある（請求項２対応）。この場合、コヨリ状に縒り上げを行う際にかかる引張力やねじり力を小さくすることが可能となって、縒り上げ中に糸が不用意に切断されてしまう事態を防止する上で好ましいものとなる。そして、縒り上げ完了後は、付着された水分（水蒸気）が糸から容易かつ早期に蒸発するので、縒り上げ中に与えられた水蒸気が糸に長時間含まれたままとなってしまう事態も防止されることになる。なお、糸の切断防止のためには、例えば工業用油をつけることによっても可能であるが、この場合は、糸が工業用油を半永久的に含んだものとなってしまうために好ましくないものとなる。また、単に水をつけた場合は、水が多量に付着して水溶性紙が溶けてしまうことになる。
【００１６】
前記水溶性紙片として、石けん、香料、殺菌・抗菌剤、天然染料の少なくとも１種類があらかじめ含浸されているものが用いられる、ようにしてある（請求項３対応）。この場合、織物又は編み物に、あらかじめ含浸された材料に関連した機能性を与えておくことができる。
【００１７】
前記第３工程の後に、前記織物または編み物の外周縁部を折り返して、該折り返した部分を水溶性の糸で縫着する第４工程をさらに備えている、ようにしてある（請求項４対応）。この場合、織物または編み物の外周縁部がほつれたり早期に水に溶けてしまう事態を防止する上で好ましいものとなる。
【００１８】
前記３工程の後に、前記織物または編み物の外周縁部をプレス機によって圧着する第４工程をさらに備えている、ようにしてある（請求項５対応）。この場合、圧着という縫着よりも簡単な手法によって、織物または編み物の外周縁部がほつれたり早期に水に溶けてしまう事態を防止することができる。
【００１９】
前記目的を達成するため、本発明における水溶性の織物又は編み物にあっては次のような解決手法を採択してある。すなわち、特許請求の範囲における請求項６に記載のように、
織物又は編み物を形成している糸が、複数本の細糸を合わせて縒り上げたコヨリ状の太糸とされ、
前記細糸が、細長い水溶性紙片を縒り上げたコヨリ状とされている、
ようにしてある。この場合、請求項１に対応した効果を奏する水溶性の織物又は編み物を提供することができる。
【００２０】
上記解決手法を前提とした好ましい態様は、特許請求の範囲における請求項７、請求項８に記載のとおりである。すなわち、
前記水溶性の織物又は編み物が、織物からなる水溶性のタオルとされ、
前記タオルの外周縁部が折り返されて、該折り返しされた部分が水溶性の糸で縫着されている、
ようにしてある（請求項７対応）。この場合、タオルの外周縁部のほつれを防止でき、また多量の水に浸される機会の多いタオルがその外周縁部から早期に水に溶けてしまう事態を防止する上で好ましいものとなり、例えばホテル等で提供される使い捨てタオルとして好適なものが提供される。
【００２１】
前記水溶性の織物又は編み物が、織物からなる水溶性のタオルとされ、
前記タオルの外周縁部が圧着されている、
ようにしてある（請求項８対応）。この場合、圧着という簡単な手法によって、請求項７の場合と同様の効果を得ることができる。
【００２２】
前記目的を達成するため、本発明における水溶性の糸にあっては次のような解決手法を採択してある。すなわち、特許請求の範囲における請求項９に記載のように、
細糸を複数本合わせて縒り上げたコヨリ状の太糸とされており、
前記細糸が、細長い水溶性紙片を縒り上げたコヨリ状とされている、
ようにしてある。この場合、水溶性を確保しつつ、水に溶けるまでの時間を極めて長くすることのできる糸を提供することができる。
【発明の効果】
【００２３】
本発明によれば、水溶性を確保しつつ水に溶けるまでの時間を極めて長くすることができる。これにより、水溶性紙の適用範囲を従来よりも格段に広げて各種の織物又は編み物に適用でき、また使用後は焼却による廃棄処分に代えて水に溶かすというエネルギーや環境の上で好ましい廃棄処分を行うことができる。
【図面の簡単な説明】
【００２４】
【図１】幅広の水溶性紙を示す図。
【図２】図１に示す水溶性紙を切断して得られた細長い水溶性紙片を示す拡大図。
【図３】図２に示す水溶性紙片を縒り上げることにより得られたコヨリ状の細糸を示す拡大図。
【図４】図３に示す複数本の細糸を縒り上げることにより得られたコヨリ状の太糸を示す拡大図。
【図５】図４に示す太糸を用いて形成されたタオルの一例を示す図。
【図６】本発明の製造方法例を示すフローチャート。
【図７】本発明によって形成されたタオルの好ましい例を示す平面図。
【図８】図７のＸ８−Ｘ８線相当断面図。
【図９】本発明によって形成されたタオルの好ましい別の例を示すもので、図８に対応した断面図。
【発明を実施するための形態】
【００２５】
図１は、水溶性紙１０を示す。水溶性紙１０は、所用面積と厚みを有する幅広とされていて、その坪量は例えば約１９ｇ／平方ｍとされている。このような水溶性紙１０としては、あらかじめ扱い易い大きさ（面積）の方形のものを用いてもよいが、例えば幅約１．２ｍ、長さ約２，０００ｍで、ロール状に巻かれた長尺のものをカットして用いることもできる。
【００２６】
図２は、図１に示す幅広の水溶性紙１０を幅方向に切断することにより得られた水溶性紙片２０を示す。この水溶性紙片２０は、図１に示す水溶性紙１０をその幅方向等間隔（例えば３〜６ｍｍ間隔）に切断することにより得られる。図１には、切断位置が破線で示されているが、実際の破線の数は図１に示す場合よりも多くなる。
【００２７】
図２に示す水溶性紙片２０を縒り上げることにより、図３に示すようなコヨリ状の細糸３０が形成される。この細糸３０を複数本合わせて縒り上げることにより、図４に示すように１本の堅牢なコヨリ状の太糸４０が形成される。
【００２８】
上記太糸４０を用いて織り出すことにより得られたタオル５０の一例が、図５に示される（例えば幅２５ｃｍ×長さ９０ｃｍで厚さ１〜２ｍｍ）。タオル５０は、その用途に応じて適宜の大きさ（面積）や厚さのものとすることができる。例えば身体洗浄用の場合は、例えば幅２５〜３５ｃｍ×長さ７５〜１００ｃｍの大きさとすることができる。また、例えば手ふき用の場合は、例えば幅５〜２０ｃｍ×長さ５〜２０ｃｍの大きさとすることができる。
【００２９】
タオル５０は、多量に水に触れても、容易には溶けないものである。すなわち、単に水溶性紙１０あるいは水溶性紙片２０のままであれば、数十秒後には水に溶けてしまうので、タオルとしての機能は全く期待できないものである。しかしながら、本発明によって得られたタオル５０は、水溶性紙片２０をコヨリ状の細糸３０とし、さらに細糸３０を複数本合わせて１本の堅牢な太糸４０として、この太糸４０を織り出すことによってタオル５０を得るようにしてあるので、長時間多量の水に触れたままでも溶けることがなく、タオルとして使用可能である。
【００３０】
タオル５０の使用後は、タオル５０を水に浸けておくことにより、やがて水に溶けてしまうものである。よって、使用後に、タオル５０を別途焼却処分する必要がないものであり（廃棄処分に際して、二酸化炭素の発生が無い）、使い捨てタオルとして極めて好ましいものとなる。
【００３１】
図６は、図５に示すタオル５０を得るための製造工程の一例を示すフローチャートである。以下この図６について説明するが、図中Ｓは工程（ステップ）を示す。なお、図６に示す例では、タオル５０にあらかじめ石けんの機能等の特別の機能を別途付与するための例となっている。
【００３２】
まず工程Ｓ１において、水溶性紙にあらかじめ石けん液、香料、殺菌・抗菌剤、の少なくとも１種類が含浸され、その後乾燥させることによって乾燥水溶性紙が得られる（図１に示す水溶性紙１０が得られる）。なお、工程Ｓ１では、石けん液、香料、殺菌・抗菌剤に代えてあるいは一緒に、天然染料を含浸させることもできる。
【００３３】
工程Ｓ２においては、工程Ｓ１での乾燥水溶性紙１０をスリッタ（切断機）等によってその幅方向に切断することにより、図２に示すような細長い水溶性紙片２０が得られる。工程Ｓ３では、工程Ｓ２で得られた水溶性紙片２０を縒り上げることにより、所用直径と長さを有するコヨリ状の細糸３０が得られる。
【００３４】
工程Ｓ４では、工程Ｓ３で得られた細糸３０を複数本（例えば３本）合わせて縒り上げることにより、１本の堅牢な太糸４０が得られる。そして、工程Ｓ５では、工程Ｓ４で得られた太糸４０を用いてタオル５０が織り上げられる。得られたタオル５０は、工程Ｓ１において含浸された材料に対応した機能を有するものとなる。
【００３５】
ここで、工程Ｓ４あるいは工程Ｓ３での縒り上げの際には、図３、図４に示すように、水蒸気（スチーム）を吹きかけつつ行うのが、途中で糸３０または４０がテンションによって不用意に切断されてしまう事態を防止する上で好ましいものとなる。図３では、縒り上げを開始する付近とその前後に水蒸気を吹きかけるようにしてある。また、図４では、３本の細糸３０が集合した直後付近（縒り上げが開始される付近とその前後）に対して、ノズル６０から水蒸気（湯気）が吹きかけられるようにしてある。なお、ノズル６０は、糸３０，４０の長手方向に間隔をあけて複数配置することができる。水蒸気を吹きかけることにより、縒り上げられつつある細糸３０や太糸４０に適度なしめり気が与えられて、縒り上げがスムーズに行われると共に、より小さなねじり力や引張力でもって縒り上げを行うことが可能になって、不用意な切断が防止されることになる（安定した回転（テンション）がかかって撚糸できる）。
【００３６】
なお、縒り上げの際の切断防止には、水蒸気に代えて例えば工業用油をつけることによっても行うことが可能である。ただし、この場合は、縒り上げられた細糸３０あるいは太糸４０には、工業用油が少なからず含浸されたままとなってしまうので好ましくないものである。
【００３７】
タオル５０が長時間の耐水性を有する点についてより具体的に説明する。まず、水溶性紙１０（水溶性紙片２０）として、例えば、木材パルプ（ＮＢＫＰ（針葉樹パルプ）約７０％とＬＢＫＰ（広葉樹パルプ）約３０％）に対して界面活性剤、柔軟剤、消泡剤を配合したもので、実坪量約１９ｇ／平方ｍのものを用意した。なお、繊維間の結合に対し他の結合剤を用いてもよい。
【００３８】
水溶性紙１０あるいは水溶性紙片２０そのものは、数十秒で水に溶けてしまうものである。この水溶性紙１０について、ＪＩＳ−Ｐ４５０１による「ほぐれやすさ」を示す試験を行ったところ、ほぐれ時間は約１９秒（柔軟剤有り）〜約２６秒（柔軟剤なし）であった。このほぐれ時間について説明すると、上記ＪＩＳに基づく試験において、マグネット回転子によって６０５〜６１０ｒｐｍの回転数とされた状態のビーカ内の５００ｃｃの水に対して、水溶性紙１０を１００ｍｍ四方の試験片としたものを投入する。試験片の抵抗によって一旦５４０ｒｐｍまで低回した時点で計測を開始し、試験片がほぐれるのにしたがって回転数が６００ｒｐｍに上昇するまでに要した時間が上記ほぐれ時間である。
【００３９】
水溶性紙片２０の幅を３〜６ｍｍとして、この水溶性紙片２０から得られる細糸３０の縒り上げは１００ｃｍあたり４００〜７５０ｔ（回転）とした。また、太糸４０は、上記細糸３０を３本合わせて縒り上げたもので、縒り上げは１００ｃｍあたり４００〜７５０ｔとした。より具体的には、水溶性紙片２０として、幅が３ｍｍのものと、６ｍｍのものとを用意した。幅が３ｍｍの水溶性紙片２０は縦糸用であり、幅が６ｍｍの水溶性紙片２０は横糸用である。この水溶性紙片２０から得られる細糸３０の縒り上げは、幅が３ｍｍのものは７５０ｔで、幅が６ｃｍのものは４００ｔとした。また、幅が３ｍｍの水溶性紙片２０からなる細糸３０を用いた太糸４０の縒り上げは１００ｃｍあたり約７５０ｔとし、幅が６ｍｍの水溶性紙片２０からなる細糸３０を用いた太糸４０の縒り上げは約４００ｔとした。
【００４０】
上記太糸４０を用いて（縦糸用と横糸用の２種類の太糸４０を用いて）織り出されたタオル５０は、その幅が約２５ｃｍ、長さが約９０ｃｍ、厚さが約１〜２ｍｍとした。このタオル５０が水に溶けるまでの時間は約６０分であった。また、水につけられたタオル５０が、少なくとも身体洗浄用として使用可能な程度にまで強度や形状を保持している時間は約４０分であった。なお、原紙（水溶性紙１０）の段階での木材パルプの配合割合の調整、結合剤の材料配合割合の調整、柔軟剤の有無、密度および坪量調整、水溶性紙片２０の幅、細糸３０や太糸４０の縒り上げの回転調整等によって、タオル５０が水に溶けるまでの時間を調整（変更）することができる。
【００４１】
図７，図８は、本発明によって形成された織物としてのタオル５０の好ましい例を示す。すなわち、本例では、タオルの全外周縁部に短い折り返し部５１を形成して、この折り返し部５１を水溶性糸（実施形態では縦糸用の細い太糸４０を用いてある）でもってタオル５０に縫い合わせてあり（縫着）、この縫着部分の軌跡が符合αで示される。タオル５０を織り上げた直後においては、その外周縁部は太糸４０の端面が露出されていて、ほぐれたり水に溶けやすい部分となるが、図７，図８に示すような構造とすることにより、タオル５０がその外周縁部からほぐれたり早期に水に溶けてしまう事態を防止できる。図７，図８に示すようなタオル５０を得る処理は、図６に示す行程Ｓ５の後に行われる。
【００４２】
図９は、タオル５０の外周縁部の処理を行う別の例を示すものである。本例では、タオル５０の外周縁部をプレス機７１Ａ、７１Ｂ（簡略して上下の押圧部のみを示す）によって圧着することによって、別途縫着を行うことなく、外周縁部のほつれ防止や外周縁部が早期に水に溶けてしまう事態を防止することができる。図８の例では、折り返し部５１を有して、圧着後は、外周縁部の厚さが他の部分とほぼ同一の厚さを有するようにされている（圧着によって、外周縁部の厚さが薄くなる一方、その密度が高くなる）。プレス機７１Ａ、７１Ｂによる圧着は、折り返し部５１を有しない場合であっても適用できる。この圧着の際に、タオル５０の外周縁部にスチーム（蒸気）をかけつつ行うこともできる。
【００４３】
タオル５０の外周縁部（折り返し部５１があっても無くてもいずれでもよい）の処理としては、図７〜図９に示す場合の他、天然成分（例えばセルロース、でんぷん質等）での糊圧着を行うようにしてもよい。なお、図７，図８に示すような外周縁部の処理や、図９に示すプレス機７１Ａ、７１Ｂによる圧着処理、さらには糊圧着は、タオルに限らず、他の織物や編み物にも同様に適用し得るものである。
【００４４】
以上実施形態について説明したが、本発明は、実施形態に限定されるものではなく、特許請求の範囲の記載された範囲において適宜の変更が可能であり、例えば次のような場合をも含むものである。図６の工程Ｓ１は有しないものであってもよい（石けん液、香料、殺菌・抗菌剤、天然染料等を全く含まないものであってもよい）。タオル５０のような織物に限らず、編み物にも同様に適用し得る。本発明が適用できる織物又は編み物としては、例えば、おむつ（おむつカバー）、買い物袋等の各種袋物、ホテル等にて提供される浴衣、パジャマ等の衣服や枕カバー、カーテン、レストラン等で使用される飲食用ダスト（ふきん）、介護用体拭き、衣類、使い捨て下着、おしぼり（手ふき）、手洗い用具（石けん等の洗浄剤を含浸させたもの）等があるが、これらに限定されないものである。また、例えば、繊維加工剤や二次加工等を行ったり、別繊維糸と融合させることにより、別途様々な用途の素材に対応できる。勿論、本発明の目的は、明記されたものに限らず、実質的に好ましいあるいは利点として表現されたものを提供することをも暗黙的に含むものである。
【産業上の利用可能性】
【００４５】
本発明は、例えば使い捨てタオル等に適用して好適である。
【符号の説明】
【００４６】
１０：水溶性紙
２０：水溶性紙片
３０：細糸
４０：太糸
５０：タオル
６０：ノズル（水蒸気供給用）
７１Ａ、７１Ｂ：プレス機
【図１】
2010111987.tif 000003
【図２】
2010111987.tif 000004
【図３】
2010111987.tif 000005
【図４】
2010111987.tif 000006
【図５】
2010111987.tif 000007
【図６】
2010111987.tif 000008
【図７】
2010111987.tif 000009
【図８】
2010111987.tif 000010
【図９】
2010111987.tif 000011